(57)【要約】【課題】電線の振動を抑制する。【解決手段】ゴムブーツ３０は、コネクタハウジング１１の後面に嵌合される嵌合部３１と、その後方に連なる電線挿通部３２とを備えている。電線挿通部３２の内周には、コネクタハウジング１１より引き出された各電線Ｗを弾力的に保持する振動規制用突部３８が突出して形成されており、この振動規制用突部３８によって電線Ｗが弾力的に保持されることでゴムブーツ３０内における電線Ｗの振動が抑制される。これにより、電線Ｗから雌端子金具１２側に振動が伝わることが防止され、雌端子金具１２と相手の雄端子金具２２との接点部の摩耗等を防ぐことができる。【選択図】  図３
2004179040.tif 000002
【特許請求の範囲】
【請求項１】
コネクタハウジングの電線が引き出された側の面に外嵌される嵌合部と、この嵌合部に連なり前記電線が挿通される筒状の電線挿通部とを備えたコネクタ用ゴムブーツであって、
前記電線挿通部の内周面には、前記電線を弾力的に保持することでその振動を規制する振動規制用突部が突出して形成されていることを特徴とするコネクタ用ゴムブーツ。
【請求項２】
前記電線挿通部において、前記振動規制用突部が形成された領域の外周には、前記電線と当該ゴムブーツとを固着するテープが巻き付けられる構成としたことを特徴とする請求項１に記載のコネクタ用ゴムブーツ。
【発明の詳細な説明】
【０００１】
【発明の属する技術分野】
本発明は、コネクタ用ゴムブーツに関する。
【０００２】
【従来の技術】
コネクタ用ゴムブーツとして、コネクタハウジングの電線が延出される側の面に嵌合される嵌合部と、この嵌合部に連なり電線が挿通される筒状の電線挿通部とを備えた構成のものがある（例えば特許文献１参照）。このようなゴムブーツは、例えば自動車のエンジンルームにおいて、エンジンの外面に設けられた相手コネクタに連結されるコネクタに装着され、それにより電線の保護などが図られる。
【０００３】
【特許文献１】
特開平１０−２９４１４６号公報
【０００４】
【発明が解決しようとする課題】
しかしながら、従来のゴムブーツでは、特にエンジンに連結されるコネクタのように激しい振動を受ける箇所に使用された場合に、ゴムブーツの内部で電線が振動し、その電線の振動が電線の端部に接続された端子金具に伝わり、この端子金具と相手側の端子金具との接点部同士が擦れ合って摩耗するなどのおそれがあった。
本発明は、上記事情に鑑みてなされたもので、その目的は、電線の振動を抑制することの可能なコネクタ用ゴムブーツを提供するところにある。
【０００５】
【課題を解決するための手段】
上記の課題を解決するための請求項１の発明に係るコネクタ用ゴムブーツは、コネクタハウジングの電線が引き出された側の面に外嵌される嵌合部と、この嵌合部に連なり前記電線が挿通される筒状の電線挿通部とを備えたコネクタ用ゴムブーツであって、前記電線挿通部の内周面には、前記電線を弾力的に保持することでその振動を規制する振動規制用突部が突出して形成されているところに特徴を有する。
【０００６】
請求項２の発明は、請求項１に記載のものにおいて、前記電線挿通部において、前記振動規制用突部が形成された領域の外周には、前記電線と当該ゴムブーツとを固着するテープが巻き付けられる構成としたところに特徴を有する。
【０００７】
【発明の作用および効果】
請求項１の発明によれば、ゴムブーツの内周に設けた振動規制用突部によって電線が弾力的に保持されることでゴムブーツ内における電線の振動が抑制される。従って、例えば電線からコネクタハウジング内の端子金具側に振動が伝わることが防止され、その端子金具と相手の端子金具との接点部の摩耗等を防ぐことができる。
【０００８】
請求項２の発明によれば、振動規制用突部の設けられた部位の外周にテープを巻き付けるようにしたことで、挿通される電線の束の本数や外径に合わせてテープの締め付け具合を変えて、振動規制用突部が適度な接圧をもって電線を保持するように調節することができる。
【０００９】
【発明の実施の形態】
＜第１実施形態＞
次に本発明の第１実施形態について図１から図３を参照して説明する。
本実施形態のゴムブーツ３０は、自動車のエンジンルームにおいて、エンジン（図示せず）の外面に設けられた雄コネクタ２０に連結される雌コネクタ１０に装着して使用される。なお、以下の説明において、前後方向については図１及び図３の左側を前側とする。
【００１０】
雌コネクタ１０は、合成樹脂製のコネクタハウジング１１を備えており、その内部には雌端子金具１２が後方から挿入される３つのキャビティ１３が上下に並んで形成されている。雌端子金具１２は、前部に前方に開口した角筒状の端子接続部１２Ａを備え、この端子接続部１２Ａの内部には雄コネクタ２０の雄端子金具２２に対し弾性的に接触可能な弾性接触片（図示せず）が設けられている。また、雌端子金具１２の後端には、電線Ｗの端部と、その周囲に嵌着されたゴム栓１４とが圧着されており、雌端子金具１２が各キャビティ１３に挿入されると、ゴム栓１４によりキャビティ１３の後部が水密状に閉塞されるとともに、電線Ｗがコネクタハウジング１１の後方へ延出される。
【００１１】
コネクタハウジング１１の前面には、前方に開口した筒状嵌合部１５が形成されており、ここに相手の雄コネクタ２０のフード部２１を嵌入可能となっている。この雄コネクタ２０のフード部２１の内側には、タブ状の３本の雄端子金具２２が上下に並んで突設されており、雌雄両コネクタ１０，２０を嵌合すると、雄端子金具２２が雌端子金具１２の端子接続部１２Ａ内に差し込まれて、弾性接触片がその雄端子金具２２に弾性的に接触することで雌雄の端子金具１２，２２が電気的に接続される。また、コネクタハウジング１１の上面には、シーソー状に撓み変形可能なロックアーム１６が形成されている。ロックアーム１６の前端にはロック孔１６Ａが形成されており、両コネクタ１０，２０を嵌合させたときに、フード部２１の上面に設けられたロック突起２３がロックアーム１６を撓み変形させつつロック孔１６Ａに係合することで、両コネクタ１０，２０がロックされる。また、ロックアーム１６の後端上面には、ロック突起２３に対する係合の解除操作を行うための操作部１６Ｂが形成されている。
【００１２】
ゴムブーツ３０は、弾力性を有するゴム材料からなり、コネクタハウジング１１の後部に外嵌される略角筒状の嵌合部３１と、この嵌合部３１の後方に連なる筒状の電線挿通部３２とを備えている。嵌合部３１は、コネクタハウジング１１後部の外形を一回り小さくしたような形状であり、コネクタハウジング１１に対してその周壁を外側に弾性的に押し広げつつ嵌着される。嵌合部３１の内底面には、係合孔３３が凹んで形成されており、ここにコネクタハウジング１１の下面後端に突設された抜け止め突部１７が係合することで、ゴムブーツ３０がコネクタハウジング１１に対して抜け止めされる。また、嵌合部３１の上面には、ロックアーム１６の操作部１６Ｂを露出させる解除操作孔３４が貫通して形成されており、この解除操作孔３４を通してロックアーム１６の係合解除操作が可能となっている。
【００１３】
電線挿通部３２は、全体として嵌合部３１よりも小径の円筒状をなしており、その内部にコネクタハウジング１１より引き出された３本の電線Ｗが挿通されるようになっている。電線挿通部３２の後端部には、電線引き出し部３５が設けられ、その端部から前方へ向けて左右一対のスリット３５Ａが切り欠き形成されている。電線引き出し部３５は、スリット３５Ａを利用して電線Ｗの本数（電線Ｗの束の太さ）に応じて縮径させることで電線Ｗの外周に馴染ませることができ、その状態で電線引き出し部３５と後方に延出された電線Ｗとの外周にテープ３６を巻き付けることで、電線Ｗとゴムブーツ３０とが固着される。また、電線引き出し部３５の前側には蛇腹部３７が形成され、この蛇腹部３７を撓ませつつ内部の電線Ｗを曲げられるようになっている。
【００１４】
電線挿通部３２の前端位置、即ち嵌合部３１と蛇腹部３７との中間位置には、その内周面に円環状の振動規制用突部３８が前後に３条並んで突出して形成されている。これらの振動規制用突部３８の突端部分における内径は、３本の電線Ｗの束の太さより小さくされており、電線Ｗが挿通されると振動規制用突部３８が外側への撓み変形を伴いつつ各電線Ｗを挟圧保持するようになっている。
【００１５】
組み付けに際しては、まずゴムブーツ３０の電線挿通部３２に対し電線Ｗを接続した３本の雌端子金具１２が後方から挿通される。電線挿通部３２に各電線Ｗが挿通されると、振動規制用突部３８が外側への撓み変形を伴いつつ挿通された電線Ｗを互いに内側へ押し付けるため、各電線Ｗは径方向へのがたつきなく保持される。
【００１６】
続いて、各雌端子金具１２がコネクタハウジング１１のキャビティ１３内に挿入され、ゴムブーツ３０の嵌合部３１がコネクタハウジング１１の後面に嵌着される。そして、電線引き出し部３５の外周とその後方に引き出された電線Ｗの外周とにテープ３６が螺旋状に巻き付けられて、ゴムブーツ３０と電線Ｗとが固着される。最後にコネクタハウジング１１の筒状嵌合部１５に雄コネクタ２０のフード部２１が嵌合されて、雌雄の端子金具１２，２２同士が電気的に接続される。
【００１７】
さて、雌コネクタ１０は、雄コネクタ２０を介してエンジンからの振動を受ける。しかしながら、ゴムブーツ３０の内部では、各電線Ｗが振動規制用突部３８によってがたつきなく保持されているため、雌コネクタ１０、ゴムブーツ３０とゴムブーツ３０内の電線Ｗとが一体的に振動するに留まり、電線Ｗがゴムブーツ３０内でコネクタハウジング１１及びゴムブーツ３０に対して相対的に振動することが抑制される。このため、電線Ｗから雌端子金具１２へ伝達される振動が抑えられ、その結果、雌端子金具１２と雄端子金具２２との接点部の摩耗が防止される。また、電線Ｗは、振動規制用突部３８によって弾力的に保持されるため、例えば硬質の樹脂部材等によって保持する場合に比べると電線Ｗを傷めるおそれが少ない。
【００１８】
以上のように本実施形態によれば、ゴムブーツ３０の内周に設けた振動規制用突部３８によって電線Ｗが弾力的に保持されることでゴムブーツ３０内における電線Ｗの振動が抑制される。従って、電線Ｗから雌端子金具１２側に振動が伝わることが防止され、雌端子金具１２と相手の雄端子金具２２との接点部の摩耗等を防ぐことができる。
【００１９】
＜第２実施形態＞
次に本発明の第２実施形態について図４及び図５を参照して説明する。なお、以下においては、第１実施形態と同様の構成には同一符号を付して重複する説明を省略する。
本実施形態のゴムブーツ４０は、嵌合部３１とその後方に連なる円筒状の電線挿通部４１とを備えており、電線挿通部４１の内側にコネクタハウジング１１の後面から引き出された電線Ｗが挿通されている。電線挿通部４１の内周面には、その長さ方向に沿って３つの振動規制用突部４２が上下に互い違いに並んで突出して形成されている。各振動規制用突部４２は、前側に約４５度傾斜した半楕円形の板状をなしており、それぞれ電線挿通部４１内に形成される貫通孔の略下半分又は略上半分を塞ぐような形態となっている。また、振動規制用突部４２の先端は、高さ方向について上下の先端縁同士が一部重なる程度に突出しており、さらにその縁部には横幅方向に並んで半円形の３つの位置決め溝４３が切り欠き形成されている。各振動規制用突部４２の間には、各電線Ｗが上下に蛇行するように挿通されるとともに、各電線Ｗが位置決め溝４３にほぼ緊密に嵌め込まれるようになっている。また、電線挿通部４１において、振動規制用突部４２が設けられた領域の外周面には、電線Ｗとゴムブーツ４０とを固着するためのテープ３６を巻き付けることができるようになっている。
【００２０】
組み付けに際しては、まずゴムブーツ４０の電線挿通部４１に対し、後方から電線Ｗを接続した３本の雌端子金具１２が挿入される。このとき、各雌端子金具１２は、振動規制用突部４２の傾斜面に沿って案内させつつ奥方へ押し込むことができるため、円滑に挿入することができる。各電線Ｗは、上下の振動規制用突部４２を外側へ撓み変形させつつその間に上下に蛇行するように挿通されるとともに、それぞれが各振動規制用突部４２の位置決め溝４３内に緊密に嵌め込まれる。これにより各電線Ｗは、上下の振動規制用突部４２によって上下方向についてがたつきなく挟圧保持されるとともに、位置決め溝４３によって横幅方向にもがたつきなく保持される。
【００２１】
次に、各雌端子金具１２がコネクタハウジング１１のキャビティ１３内に収容され、ゴムブーツ４０の嵌合部３１がコネクタハウジング１１の後面に嵌着される。そして、電線挿通部４１の外周とその後方に引き出された電線Ｗの外周とにテープ３６が螺旋状に巻き付けられて、ゴムブーツ４０と電線Ｗとが固着される。このとき、電線Ｗの挿通によって若干外側に撓み変形した電線挿通部４１を内側へ押し戻すようにして、適度な力を加えつつテープ３６を締め付けることで、各振動規制用突部４２が電線Ｗに対し適度な圧力で接触するように調節することができる。最後にコネクタハウジング１１の筒状嵌合部１５に雄コネクタ２０のフード部２１が嵌合されて、雌雄の端子金具１２，２２同士が電気的に接続される。
【００２２】
以上のように本実施形態によれば、第１実施形態と同様の効果に加え、振動規制用突部４２の設けられた部位の外周にテープ３６を巻き付けるようにしたことで、挿通される電線Ｗの束の本数や外径に合わせてテープ３６の締め付け具合を変えて、振動規制用突部４２が適度な接圧をもって電線Ｗを保持するように調節することができる。
【００２３】
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記各実施形態では、ゴムブーツが防水の機能を有するものを示したが、本発明は、特に防水の機能を持たないものにも適用することができる。
（２）電線とゴムブーツとはテープ以外のもので固着するようにしても良い。また、電線はコルゲートチューブ等を用いて保護するようにしても良い。
【図面の簡単な説明】
【図１】第１実施形態における雌雄コネクタとゴムブーツの組み付け前の状態を示す縦断面図
【図２】ゴムブーツの正面図
【図３】雌雄コネクタとゴムブーツの組み付け後の状態を示す縦断面図
【図４】第２実施形態における雌雄コネクタとゴムブーツの組み付け後の状態を示す縦断面図
【図５】ゴムブーツの正面図
【符号の説明】
１０…雌コネクタ
１１…コネクタハウジング
１３…雌端子金具
２０…雄コネクタ
２２…雄端子金具
３０，４０…ゴムブーツ
３１…嵌合部
３２，４１…電線挿通部
３６…テープ
３８，４２…振動規制用突部
Ｗ…電線
【図１】
2004179040.tif 000003
【図２】
2004179040.tif 000004
【図３】
2004179040.tif 000005
【図４】
2004179040.tif 000006
【図５】
2004179040.tif 000007